(57)【要約】      （修正有）【課題】給水帯の一端を花瓶へ容易に差し込み、また花瓶から容易に引き出すことができる差込ガイドを備えた給水帯を提供する。【解決手段】給水帯１０は、帯体と、所定長さの棒状に形成した銅からなる差込ガイド１２とからなる。帯体を構成する中空状の織紐１４は、その中空部分にマグネットシートが挿通され、その両端１６ａ，１６ｂを露出させた状態で、ホース１５に挿通されている。給水帯１０は端部１６ａを花瓶２０に配し、端部１６ｂを貯水筒２５に配すると、織紐１４の毛管作用によって貯水筒から花瓶へ水を給水することができ、マグネットシートによって給水途中の水は磁化される。さらに、金属環１７ａは、差込ガイドを帯体にかしめつけている。これにより、マグネットシートで磁化した水の抗菌効果及び活性酸素低減効果と、銅製差込ガイドの抗菌効果とを花瓶に貯留する水に対して重畳的に作用させることができる。【選択図】図２
0003152419.tif 000002
【実用新案登録請求の範囲】
【請求項１】
中空に形成された織紐に、帯状のマグネットシートを挿通して形成した帯体と、
可撓性を具備し、口部が狭められた合成樹脂製のホースとからなり、
前記帯体の両端が露出するように、前記ホースへ前記帯体を挿通した給水帯であって、
前記帯体の一端側の所定の位置であって、前記ホースから露出した部分に、所定長さの棒状に形成した銅製の差込ガイドの一端を固定したことを特徴とする給水帯。
【考案の詳細な説明】
【技術分野】
【０００１】
本考案は、貯水槽からなる給水源から植木鉢や花壇、花瓶等へ、毛管現象を利用して給水する給水帯に関する。
【背景技術】
【０００２】
従来、毛管現象を利用して給水する給水帯は、細長く帯状に形成した紙片或いは布片、若しくは、編紐、織紐、ロープ等を適当な長さに切断して形成される。該給水帯は、一方の端部を植木鉢等へ植栽された植物の根の近傍に配し、他方の端部を給水源に浸漬させたときに、水を給水源から植物へ定常的に供給することができる。
特許第３９０８１９７号公報に開示された給水帯は、該給水帯に板状の磁石が密着させて取り付けられている。当該磁石によって給水帯を伝う水は磁化され、磁化された水は抗菌効果や活性酸素の低減効果を有する。
【０００３】
ここで、植物の根は、根毛と呼ばれる先端部の糸状突起物から養分が溶け込んだ水溶液を吸収する。
したがって、給水帯の一端は、根のできるだけ近傍であって、さらに当該根の先端に近接させることが好ましい。そのため、給水帯の利用に際して、植木鉢、花壇等の場合には、土を十分に掘り起こしてから、該給水帯の一端を埋めるようにしている。
実用新案登録第３１３９２９４号公報に開示された給水帯は、該給水帯の一端に、棒状に形成した差込部を設けた合成樹脂製の差込ガイド片を有している。当該差込ガイド片の差込部を土中の適当な深さまで差し込むことにより、容易に給水帯の一端を土中の所定深さまで差し込むことができる。
【先行技術文献】
【特許文献】
【０００４】
【特許文献１】特許第３９０８１９７号公報
【特許文献２】実用新案登録第３１３９２９４号公報
【考案の概要】
【考案が解決しようとする課題】
【０００５】
一方、上記の給水帯を花瓶に使用した際に、例えば、仏具の花立や神具の榊立、或いは一輪挿しや、徳利形の花瓶のように首部が細く形成された花瓶の場合、上記給水帯の一端は、細く形成された首部で詰り、給水帯を花瓶の底部までスムーズに差し込むことができないことがある。
また、上記給水帯が具備する差込ガイド片は、首部が細長く形成された花瓶の場合には、花瓶の底部まで届かない。また、当該首部を通過させた場合であっても、当該差込ガイド片が花瓶内部に入ってしまった場合には、給水帯の端部を引き出すときに当該首部に差込ガイド片が引っかかるおそれがある。
【０００６】
したがって、上記の課題を解決するための本考案は、給水帯の一端を花瓶へ容易に差し込み、また花瓶から容易に引き出すことができる差込ガイドを備えた給水帯を提供することを目的とする。
【課題を解決するための手段】
【０００７】
請求項１に記載の給水帯は、中空に形成された織紐に、帯状のマグネットシートを挿通して形成した帯体と、可撓性を具備し、口部が狭められた合成樹脂製のホースとからなり、
前記帯体の両端が露出するように、前記ホースへ前記帯体を挿通した給水帯であって、
前記帯体の一端側の所定の位置であって、前記ホースから露出した部分に、所定長さの棒状に形成した銅製の差込ガイドの一端を固定したことを特徴とする。
【考案の効果】
【０００８】
請求項１に記載の給水帯によれば、所定長さの棒体からなる差込ガイドの一端を給水帯の帯体の一端側の所定位置へ固定したことにより、首部が細く形成された花瓶に対して、当該首部で帯体の一端を詰らせること無く、給水帯の一端をスムーズに花瓶の中へ差し込むことができる。
一方、給水帯を花瓶から引き出すときには、所定の長さを有する差込ガイドは、該差込ガイドの他端が花瓶の首部途中或いは口部から露出しているので、当該他端を摘むことによって容易に引き出すことができる。
また、織紐に内包させたマグネットシートによって、貯水タンクから毛管作用で吸い上げられた水を磁化させることができる。このとき、磁化された水は、抗菌効果と活性酸素低減効果を有するので、花瓶へ給水した水がカビ類や菌類で腐敗することを防ぐことができる。
そして、口部を縮径させたホースは、貯水タンクと花瓶との間に架設したときに、給水途中の水が蒸散してしまうことを防ぐことができる。
さらに、差込ガイドを銅から形成したことにより、銅が有する抗菌効果を花瓶に貯留する水に対して作用させることができる。
したがって、磁化された水による抗菌効果及び活性酸素低減効果と、銅の抗菌効果とが花瓶に貯留する水に対して重畳的に作用するので、当該貯留水を腐敗し難くすると共に、花瓶の内壁に藻類が発生することを抑制することができる。
【図面の簡単な説明】
【０００９】
【図１】本実施例に係る給水帯の構成を示す斜視図である。
【図２】本実施例に係る給水帯の使用方法を説明する説明図である。
【実施例１】
【００１０】
本考案に係る給水帯１０の実施例を添付図面にしたがって説明する。本実施例に係る給水帯１０を図１に示す。
給水帯１０は、帯体１１と、棒状の差込ガイド１２とからなる。
帯体１１は、細長い帯状に形成されたマグネットシート１３と、中空に形成された織紐１４と、可撓性及び熱可塑性を具備する合成樹脂製のホース１５とからなる。
織紐１４は、その中空部分にマグネットシート１３が挿通されている。マグネットシート１３及び織紐１４は、所定の長さに揃えて切断されている。
そして、切断された織紐１４の端部１６ａから所定の距離には、短冊状の金属片を環状に形成した金属環１７ａが配されている。また、織紐１４の端部１６ｂには、短冊状の金属片を環状に形成した金属環１７ｂが嵌められている。
金属環１７ａ，１７ｂは、錆防止のため、ステンレス製であることが好ましい。
【００１１】
織紐１４を締め付けている金属環１７ａ，１７ｂは、織紐１４に内包されているマグネットシート１３が織紐１４から飛び出したり、或いは織紐１４内でマグネットシート１３がズレたりしてしまうことを防止することができる。
ここで、端部１６ａから所定の位置に配された金属環１７ａは、差込ガイド１２の端部１２ａを挟み込んでいる。織紐１４の金属環１７ａより端部１６ａ側にある余剰部分は、花瓶の底部に沈めることによって、給水帯１０の端部１６ａ側を花瓶の中で安定させることができる。当該余剰部分が邪魔な場合は、切断しても良い。
さらに、端部１６ｂにかしめつけられた金属環１７ｂは、織紐１４の端部１６ｂを解れ難くすることができる。
【００１２】
織紐１４は、その両端１６ａ，１６ｂを露出させた状態で、ホース１５に挿通される。
さらに、ホース１５は、両端部を加熱して、ホース１５の口径を縮径させてある。そして、ホース１５は、織紐１４の両端部１６ａ，１６ｂ以外を被覆している。そのため、給水中の織紐１４から蒸発した水分は、ホース１５の内壁に結露等して何れ織紐１４に戻るので、織紐１４から水分が蒸発することを防ぐことができる。
【００１３】
上記のように形成した帯体１１は、端部１６ａを、花瓶類や水盤等の花器に配し、端部１６ｂを貯水タンクに満たした水へ浸漬させると、織紐１４の毛管作用によって貯水タンクから花器へ水を給水することができる。このとき、マグネットシート１３によって給水途中の水を磁化することができる。この磁化された水は抗菌効果及び活性酸素低減効果を有する。そのため、花器に給水した水を腐敗し難くすることができる。
【００１４】
本実施例においては、帯体１１に織紐１４を用いたが、これに限定されること無く、水分を浸潤させることができ、毛管現象を奏することができる帯状又は紐状の部材、例えば、ロープ、又は細長く裁断した紙片或いは布片等を用いることもできる。
細長く裁断した紙片或いは布片を用いたときには、当該紙片或いは布片とマグネットシートとを貼り合わせても上記と同様の効果を得ることができる。
また、マグネットシートに限定されること無く、細粒状に形成した磁石を織紐１４の中空部分に充填させても良い。
【００１５】
差込ガイド１２は、所定長さの棒状に形成した銅からなり、その一端１２ａが帯体１１の金属環１７ａで端部１６ａ側にかしめつけられている。差込ガイド１２は、１５ｃｍ乃至は２０ｃｍ程度の長さであることが好ましい。
本実施例において、銅からなる差込ガイド１２は、これに限定されること無く、銀、亜鉛といった抗菌効果を有する金属を用いても良い。
更には、棒状に形成した合成樹脂材やセラミックに上記の抗菌金属粉を練り込んで抗菌作用を具備させたものや、檜、杉といった木材を棒状に形成したものを用いても良い。
これ等は何れも抗菌効果を有し、花瓶２０に貯留する水が腐敗することを防止し、花瓶の内壁に藻類やヌメリが発生することを抑制することができる。
したがって、マグネットシート１３で磁化された水が有する抗菌効果及び活性酸素低減効果と、差込ガイド１２自身が有する抗菌効果とを、花瓶２０に貯留する水に対して重畳的に作用させることができる。
【００１６】
上記のように構成された給水帯１０は、以下のように使用される。
図３に給水帯１０の使用例を示す。給水体１０は、帯体１１の端部１６ａを花瓶２０に差し込み、端部１６ｂを貯水筒２５に浸して使用する。
本実施例において、貯水筒２５は、透明な素材、例えばガラスやアクリルからなり、円柱状に形成されている。該貯水筒２５には、通常の水若しくは液肥を混合した水が所定量貯水されている。
また、好ましくは、貯水筒２５は、給水帯１０に付属して提供される。そのため、容易に本実施例に係る給水帯を使用した自動給水装置を構成することができる。
【００１７】
ここで、給水帯１０の使用に先立って、毛管作用の発生を促すために、帯体１１には、十分に水分を含ませておくことが好ましい。
給水帯１０の端部１６ａを花瓶２０に差し込み、端部１６ｂを貯水筒２５に差し込んだとき、ホース１５が花瓶２０と貯水筒２５との間に架設される。
本実施例において、花瓶２０は、首部２０ａが細く形成された一輪挿しである。
また、例えば、花瓶２０は仏壇内の花立としても良い。このとき、透明な素材からなる貯水筒２５を花瓶２０の裏側に配置することにより、該貯水筒２５は須弥壇に配される他の仏具よりも目立たせないようにすることができる。
同様に花瓶２０を、神棚に配される榊立としても良い。
さらに、見栄えを気にしないのであれば、貯水筒２５は、ペットボトルやコップなどに代えても良い。
【００１８】
花瓶２０に帯体１１の端部１６ａを差し込むとき、差込ガイド１２の他端１２ｂを摘んで、花瓶２０の口部２０ｂから差込ガイド１２の一端１２ａを花瓶２０の首部２０ａへ押し込むと、差込ガイド１２の一端１２ａが花瓶２０の首部２０ａに挿入されるに伴い、金属環１７ａで連結された帯体１１の端部１６ａが花瓶２０の首部２０ａを通過する。
花瓶２０の首部２０ａを帯体１１の端部１６ａが通り抜けたとき、差込ガイド１２はそのまま花瓶２０の首部２０ａに留置される。
このとき、差込ガイド１２の端部１２ｂは、花瓶２０の首部２０ａ途中にあるか、或いは図２に示すように、口部２０ｂから露出している。そのため、帯体１１を引き出すときに差込ガイド１２を容易に取り出すことができ、差込ガイド１２や帯体１１の端部１６ａが花瓶２０の首部２０ａで引っかかってしまうことを防止することができる。
【００１９】
また、本実施例によれば、セットで提供される給水帯１０と貯水筒２５によって、新たにコップ等の給水源を用意しなくとも、花瓶２０と貯水筒２５に水を入れて、給水帯１０を架設することにより、容易に自動給水装置を構成することができる。
【符号の説明】
【００２０】
１０…給水帯、１１…帯体、
１２…差込ガイド、１２ａ，１２ｂ…差込ガイドの端部、
１３…マグネットシート、
１４…織紐、
１５…ホース、
１６ａ，１６ｂ…帯体の端部、
１７ａ，１７ｂ…金属環、
２０…花瓶、２０ａ…花瓶の首部、２０ｂ…花瓶の口部、
２５…貯水筒。
【図１】
0003152419.tif 000003
【図２】
0003152419.tif 000004